(57)【要約】【課題】従来の手法に比べて実の成長が速く、実の収穫量が多い野菜又は草果物の接木苗を生産する方法を提供する。【解決手段】本発明に係る接木苗の生産方法においては、穂木用苗１１の茎部１３を切断して根側の部分を除去することにより穂木２５を作成する一方、台木用苗２６の茎部２８を切断して葉側の部分を除去することにより台木３５を作成し、穂木２５と台木３５とを接木して接木苗３６を完成させる。この生産方法においては、穂木用苗１１を、子葉１４が形成された後、子葉１４の上側に少なくとも７節の本葉が形成されるまで成長させる。そして、第３本葉１７の付け根と第６本葉２０の付け根との間で、穂木用苗１１の茎部１３を切断する。【選択図】図２
2019017373.tif 000002
【特許請求の範囲】
【請求項１】
穂木用苗の茎部を切断して根側の部分を除去することにより穂木を作成する一方、台木用苗の茎部を切断して葉側の部分を除去することにより台木を作成し、前記穂木と前記台木とを接木して接木苗を生産するようにした接木苗の生産方法であって、
前記穂木用苗を、子葉が形成された後、前記子葉の上側に少なくとも７節の本葉が形成されるまで成長させ、
前記子葉側から上向きに数えて第３節目の本葉の付け根と第６節目の本葉の付け根との間で、前記穂木用苗の茎部を切断することを特徴とする接木苗の生産方法。
【請求項２】
前記子葉側から上向きに数えて第４節目の本葉の付け根と第５節目の本葉の付け根との間で、前記穂木用苗の茎部を切断することを特徴とする、請求項１に記載の接木苗の生産方法。
【請求項３】
前記穂木用苗及び前記台木用苗はトマトの苗であることを特徴とする、請求項１又は２に記載の接木苗の生産方法。
【請求項４】
穂木用苗の茎部を切断して根側の部分を除去することにより穂木を作成する一方、台木用苗の茎部を切断して葉側の部分を除去することにより台木を作成し、前記穂木と前記台木とを接木して接木苗を生産するようにした接木苗の生産方法であって、
前記穂木用苗を、子葉が形成された後、第１段目の花房が形成されるまで成長させ、
前記花房の直下の本葉の付け根と該本葉より２節下側の本葉の付け根との間で、前記穂木用苗の茎部を切断することを特徴とする接木苗の生産方法。
【請求項５】
前記花房の直下の本葉の付け根と該本葉より１節下側の本葉の付け根との間で、前記穂木用苗の茎部を切断することを特徴とする、請求項４に記載の接木苗の生産方法。
【請求項６】
前記台木用苗を、子葉が形成された後、前記子葉の上側に少なくとも１節の本葉が形成されるまで成長させ、前記子葉の下側で、前記台木用苗の茎部を切断して前記台木を作成することを特徴とする、請求項１〜５のいずれか１つに記載の接木苗の生産方法。
【発明の詳細な説明】
【技術分野】
【０００１】  本発明は、穂木用苗の茎部を切断して根側の部分を除去することにより穂木を作成する一方、台木用苗の茎部を切断して葉側の部分を除去することにより台木を作成し、穂木と台木とを接木して接木苗を生産するようにした接木苗の生産方法に関するものである。
【背景技術】
【０００２】  近年、トマト等の野菜あるいは草果物の大規模な栽培には、品質や収量が良好でありかつ病害に対する耐性が高いことから、接木苗が幅広く用いられている。かかる接木苗は、例えば、穂木用苗の茎部を切断して根側の部分を除去することにより穂木を作成する一方、台木用苗の茎部を切断して葉側の部分を除去することにより台木を作成し、穂木と台木とを接合することにより生産される。【０００３】  そして、一般に、トマト等の野菜あるいは草果物の接木苗の穂木は、穂木用苗の茎部を子葉のやや上側又はやや下側で切断して根側の部分を除去することにより作成される（例えば、特許文献１、２参照）。具体的には、例えばトマトの接木苗の生産においては、図１（ａ）〜（ｄ）に示すように、穂木用苗１の茎部２を子葉３のやや上側の部位Ａ１で切断して穂木４を作成する一方、台木用苗５の茎部６を子葉７のやや下側で切断して台木８を作成する。そして、穂木４と台木８とを同軸状に接合して接合部Ａ３を有する接木苗９を完成させる。なお、穂木用苗１ないしは穂木４には、第１花房１０（最も下側の花房）が形成されている。
【先行技術文献】
【特許文献】
【０００４】
【特許文献１】特開２０１６−１１１９４９号公報
【特許文献２】特開２０１７−０２３０６５号公報
【発明の概要】
【発明が解決しようとする課題】
【０００５】  しかしながら、本願発明者が、図１（ａ）〜（ｄ）に示す手法で生産した野菜又は草果物の接木苗では、実の成長が遅く、また実の収穫量が少ないといった問題がある。本発明は、このような問題を解決するためになされたものであり、従来の手法に比べて実の成長が速く、かつ実の収穫量が多い野菜又は草果物の接木苗を生産する方法を提供することを解決すべき課題とする。
【課題を解決するための手段】
【０００６】  前記課題を解決するためになされた本発明の第１の態様に係る接木苗の生産方法においては、穂木用苗の茎部を切断して根側の部分を除去することにより穂木を作成する一方、台木用苗の茎部を切断して葉側の部分を除去することにより台木を作成し、穂木と台木とを接木して、野菜（例えば、トマト）あるいは草果物の接木苗を生産する。この接木苗の生産方法は、穂木用苗を、子葉が形成された後、子葉の上側に少なくとも７節の本葉が形成されるまで成長させ、子葉側から上向きに数えて第３節目の本葉（第３本葉）の付け根と第６節目の本葉（第６本葉）の付け根との間で、穂木用苗の茎部を切断することを特徴とする。【０００７】  本発明の第１の態様に係る接木苗の生産方法においては、子葉側から上向きに数えて第４節目の本葉（第４本葉）の付け根と第５節目の本葉（第５本葉）の付け根との間で、穂木用苗の茎部を切断するのがより好ましい。【０００８】  本発明の第２の態様に係る接木苗の生産方法においては、穂木用苗の茎部を切断して根側の部分を除去することにより穂木を作成する一方、台木用苗の茎部を切断して葉側の部分を除去することにより台木を作成し、穂木と台木とを接木して、野菜（例えば、トマト）あるいは草果物の接木苗を生産する。この接木苗の生産方法は、穂木用苗を、子葉が形成された後、第１段目の花房（第１花房）が形成されるまで成長させ、第１花房の直下の本葉の付け根と該本葉より２節下側の本葉の付け根の間で、穂木用苗の茎部を切断することを特徴とする。【０００９】  本発明の第２の態様に係る接木苗の生産方法においては、第１花房の直下の本葉の付け根と該本葉より１節下側の本葉の付け根との間で、穂木用苗の茎部を切断するのがより好ましい。【００１０】  本発明の第１又は第２の態様に係る接木苗の生産方法においては、台木用苗を、子葉が形成された後、子葉の上側に少なくとも１節の本葉が形成されるまで成長させ、子葉の下側で、台木用苗の茎部を切断して台木を作成するのが好ましい。
【発明の効果】
【００１１】  本発明の第１又は第２の態様に係る接木苗の生産方法によれば、接木苗の第１段目（最も下側）の花房（第１花房）と根部の間隔が短く、第１花房が根部に非常に近い部位に位置するので、根部から第１花房（ないしは果房）への養分及び水分の供給が促進され、実の成長が促進され、かつ実の収穫量が多くなる。また、第１段目の花房より上側の花房（ないしは果房）についても同様に、実の成長が促進され、かつ実の収穫量が多くなる。
【図面の簡単な説明】
【００１２】
【図１】図１（ａ）〜（ｄ）は、従来のトマトの接木苗の生産方法を模式的に示す図である。
【図２】図２（ａ）〜（ｄ）は、本発明に係るトマトの接木苗の生産方法を模式的に示す図である。
【発明を実施するための形態】
【００１３】  以下、トマトの接木苗を生産する場合を一例として、本発明に係る接木苗の生産方法を説明する。なお、本発明は、トマト以外の野菜ないしは草果物についても応用することができるのはもちろんである。
【００１４】  図２（ａ）〜（ｄ）は、本発明に係るトマトの接木苗の生産方法を示している。図２（ａ）に示すように、品質及び収量にすぐれた品種のトマトの苗である穂木用苗１１は、若干の培養土を伴った根部１２と、この根部１２から上向きに伸びる茎部１３とを備えている。茎部１３には、下側（根部側）から上側（茎先端側）に向かって、順に、子葉１４（双葉）と、第１〜第９本葉１５〜２３（第１〜第９節目の本葉）とが形成されている。また、第７本葉２１の近傍には、第１花房２４（第１段目の花房）が形成されている。この実施形態では、第１花房２４は第７本葉２１の近傍に形成されているが、第１花房２４は、穂木用苗１１の育成状態により、これ以外の部位（例えば、第８本葉２２と第９本葉２３の間）で茎部１３に形成されることもある。
【００１５】  図２（ａ）に示す穂木用苗１１は、子葉１４が形成された後、子葉１４の上側に９節の本葉１５〜２３が形成され、かつ第１花房２４が形成されるまで成長したものである。しかしながら、子葉１４の上側に７節又は８節の本葉が形成された穂木用苗１１、あるいは１０節以上の本葉が形成された穂木用苗１１を用いてもよい。なお、穂木用苗１１がさらに成長すると、本葉及び花房が増加してゆくが、通常は、第１花房２４の上側に、順に、本葉を３節ずつ挟んで、第２花房、第３花房・・・が形成されてゆく。
【００１６】  そして、穂木用苗１１の茎部１３を所定の切断部位で切断し、下側（根部側）の部分を除去することにより穂木２５を作成する。茎部１３は、第３本葉１７の付け根（根元）と第４本葉１８の付け根との間の部位Ｃ１、第４本葉１８の付け根と第５本葉１９の付け根との間の部位Ｃ２、又は第５本葉１９の付け根と第６本葉２０の付け根との間の部位Ｃ３で切断するのが好ましく、部位Ｃ２で切断するのがとくに好ましい。
【００１７】  図２（ｂ）に示すように、病害に対する耐性にすぐれた品種のトマトの苗である台木用苗２６は、若干の培養土を伴った根部２７と、この根部２７から上向きに伸びる茎部２８とを備えている。茎部２８には、下側（根部側）から上側（茎先端側）に向かって、順に、子葉２９（双葉）と、第１〜第５本葉３０〜３４（第１〜第５節目の本葉）とが形成されている。図２（ｂ）に示す台木用苗２６は、子葉２９が形成された後、子葉２９の上側に５節の本葉３０〜３４が形成されるまで成長したものである。しかしながら、子葉２９の上側に２〜４節又は６節以上の本葉が形成された台木用苗２６を用いてもよい。
【００１８】  そして、台木用苗２６の茎部２８を所定の切断部位で切断し、上側（葉側）の部分を除去することにより台木３５を作成する。台木用苗２６の茎部２８は、子葉２９の下側の部位Ｄで切断するのが好ましい。なお、茎部２８を、子葉２６の付け根と第１本葉３０の付け根との間（子葉２６の上側）で切断してもよい。
【００１９】  この後、図２（ｃ）、（ｄ）に示すように、穂木２５と台木３５とを同軸状に接合して接合部Ｅを有する接木苗３６を完成させる。このようなトマトの接木苗３６の生産方法によれば、接木苗３６の第１花房２４と根部２７の間隔が短く、第１花房２４が根部２７に非常に近い部位に位置するので、根部２７から第１花房２４（ないしは果房）への養分及び水分の供給が促進され、トマトの実の成長が促進され、トマトの収穫量が多くなる。また、第１花房２４より上側の花房（ないしは果房）についても同様に、トマトの実の成長が促進され、トマトの収穫量が多くなる。
【００２０】  前記の実施形態では、穂木用苗１１の茎部１３の切断部位を、第１〜第９本葉１５〜２３の付け根の位置を基準にして設定している。しかしながら、穂木用苗１１の茎部１３の切断部位を、第１花房２４の付け根の位置を基準にして設定してもよい。この場合は、穂木用苗１１を、子葉１４が形成された後、第１花房２４が形成されるまで成長させ、第１花房２４の直下の本葉の付け根と該本葉より２節下側の本葉の付け根との間で、穂木用苗１１の茎部１３を切断すればよい。なお、第１花房２４の直下の本葉の付け根と該本葉より１節下側の本葉の付け根との間で穂木用苗１１の茎部１３を切断するのがより好ましい。
【符号の説明】
【００２１】  １  穂木用苗、２  茎部、３  子葉、４  穂木、５  台木用苗、６  茎部、７  子葉、８  台木、９  接木苗、１０  第１花房、１１  穂木用苗、１２  根部、１３  茎部、１４  子葉、１５〜２３  第１〜第９本葉、２５  穂木、２６  台木用苗、２７  根部、２８  茎部、２９  子葉、３０〜３４  第１〜第５本葉、３５  台木、３６  接木苗。
【図１】
2019017373.tif 000003
【図２】
2019017373.tif 000004